(57)【要約】【課題】２重の操作指示を防止し、遠隔の端末機について中央から異常時の対応が可能として、効率的にプラント操業を行う。【解決手段】各端末機の情報を管理する端末状態制御テーブルを有し、画面排他制御ならびにメッセージ表示を行い２重の操作指示を防止し、計算機本体から各端末機の電源ならびに画面タスクのオンオフを行えるようにする。【選択図】なし【特許請求の範囲】
【請求項１】
プラントの設備の運転制御を行うプロセス制御システムにおいて、
計算機本体とプラントの設備毎に設置されている端末機とを有し、これら計算機本体と各端末機とはネットワークで接続されており、
前記計算機本体は、各端末機の状態を管理する端末状態制御テーブルと、各端末機共通の画面タスクならびにプラントの各設備の情報を蓄積するデータベースを有するとともに、
各端末機が正常か異常かを確認する機能、電源のオンオフを行う機能ならびに時刻修正機能を備え、
前記各端末機はそれぞれ固有の識別情報を有し、電源投入時に前記計算機本体から前記画面タスクをダウンロードしてその画面タスクを起動する機能を備え、
前記画面タスクは、前記端末状態制御テーブルに各端末機の状態を書き込む機能と、この端末状態制御テーブルを参照して該当する情報に基づき画面排他制御またはメッセージ表示を行う機能とを備えるとともに、前記端末状態制御テーブルの内容を表示し制御する端末状態制御画面を有し、該当する画面から各端末機の電源のオンオフおよび画面タスクのオンオフを行うことのできる画面制御機能を有する
ことを特徴とするプロセス制御システム。
【請求項２】
前記計算機本体は、定期的な時刻修正機能を備え、前記端末状態制御画面から各端末機の時刻修正を行うことを特徴とする請求項１に記載のプロセス制御システム。
【発明の詳細な説明】
【技術分野】
【０００１】
本発明は、例えば大規模なプラントにおいて設備毎に運転制御したり監視したりする際、各端末機の画面切り替えを伴うプロセス制御システムに関する。
【背景技術】
【０００２】
特許文献１には、例えば大規模なプラントで設備毎に運転制御したり監視したりするプロセス制御システムにおいて、ＣＲＴ画面上のタッチパネルを装備し、画面展開を階層構造とすることにより異なる階層へと画面を自由に展開して刻々と変化するプラントの状況に対して迅速に対応できるようにすることが記載されている。
このように、プラントで使用する端末機は同じ画面種類および階層構成とし、これを適宜切り替え使用するようにするのが普通である。
【０００３】
しかしプラント内の設備に対する操業指示は、関連する複数の画面における一連の操作によって完了するものもあり、この一連の操作を行っている間に別の端末機から同じ操業指示に関係する画面を表示して異なる操業指示を行った場合、操業指示の矛盾、または２重の操業指示がなされ、操業異常が発生するおそれがある。
この危険を回避するため、画面タスクに画面排他機能を装備すると、画面排他機能を有する画面を先に表示した端末機に何らかの異状が発生した場合、その端末機の端末状態制御テーブルの情報が固定され、以後どの端末機からも画面排他機能を有する画面での操業指示ができなくなってしまう。
【０００４】
また、ある端末機で表示している画面を別の端末機で表示してデータ修正を行う場合、画面タスクはデータ修正時に自端末機に画面表示されているデータが最新か否かをチェックする機能を有しているので、データ自体が問題になることはない。しかし、以後に同じ画面を選択したオペレータに注意を促すようにしておかないと、データの２重更新等でオペレータの勘違いや間違いが発生する可能性がある。
【０００５】
プラントの設備によっては、中央の計算機本体から遠く離れた場所に設置される端末機もある。これまで、この遠隔の端末機の稼動状況を確認したり、遠隔の端末機の異状が発生し、対応が必要な場合には、わざわざ現地におもむく必要があった。
また、プラントのセンサからの最新情報を端末機が要求したときに、かりに端末機の時計が進んでいると、端末機が指定する時刻のデータが存在せず、データ指定エラーが発生してしまう。
【特許文献１】特開平６−２３６１６９号公報
【発明の開示】
【発明が解決しようとする課題】
【０００６】
本発明は、従来のプロセス制御システムにおける上記の諸問題を解消し、２重の操業指示を防止し、情報修正を可能とし、遠隔の端末機に対して中央から対処可能とし、かつ計算機本体と各端末機との時刻を統一するなどして操業異常や指定エラーをなくしたプロセス制御システムを実現することを目的とする。
【課題を解決するための手段】
【０００７】
本発明は、プラントの設備の運転制御を行うプロセス制御システムにおいて、計算機本体とプラントの設備毎に設置されている端末機とを有し、これら計算機本体と各端末機とはネットワークで接続されており、前記計算機本体は、各端末機の状態を管理する端末状態制御テーブルと、各端末機共通の画面タスクならびにプラントの各設備の情報を蓄積するデータベースを有するとともに、各端末機が正常か異常かを確認する機能、電源のオンオフを行う機能ならびに時刻修正機能を備え、前記各端末機はそれぞれ固有の識別情報を有し、電源投入時に前記計算機本体から前記画面タスクをダウンロードしてその画面タスクを起動する機能を備え、前記画面タスクは、前記端末状態制御テーブルに各端末機の状態を書き込む機能と、この端末状態制御テーブルを参照して該当する情報に基づき画面排他制御またはメッセージ表示を行う機能とを備えるとともに、前記端末状態制御テーブルの内容を表示し制御する端末状態制御画面を有し、該当する画面から各端末機の電源のオンオフおよび画面タスクのオンオフを行うことのできる画面制御機能を有することを特徴とするプロセス制御システムであり、望ましくは、前記計算機本体は、定期的な時刻修正機能を備え、前記端末状態制御画面から各端末機の時刻修正を行うことを特徴とする前記のプロセス制御システムである。
【発明の効果】
【０００８】
本発明によれば、２重の操業指示が防止され、また端末機の異常に対して情報修正が可能となり、また遠隔の端末機に対して中央から対処可能であり、かつ計算機本体と各端末機との時刻を統一されるなどして操業異常や指定エラーが抑制され、プラント操業が効率化されるというすぐれた効果を奏する。
【発明を実施するための最良の形態】
【０００９】
本発明の実施例を図面により説明する。図１は実施例のプロセス制御システムの全体構成図で、１は大規模プラントを制御する計算機本体（サーバ）、２ａ〜２ｅはプラント内の各設備Ａ〜Ｅ毎に配置された端末機である。計算機本体１と各端末機２ａ〜２ｅとはネットワークで接続されている。図１において（図２も同じ）実線は配線ケーブル、破線は情報の流れを示す。
【００１０】
計算機本体１には、各端末機２ａ〜２ｅの状態を制御する端末状態制御テーブルを有する。端末状態制御テーブルの構成の一例を表１に、また端末状態制御テーブルそのものの一例を表２に示す。
【００１１】
【表１】
2007272383.tif 000002
【００１２】
【表２】
2007272383.tif 000003
【００１３】
また計算機本体１は各端末機共通の画面タスクを有し、またプラント情報を蓄積するデータベースを有する。
一方前記各端末機はそれぞれ固有の識別情報を有し、電源投入時に図1に示すように前記計算機本体から各端末機共通の画面タスクをダウンロードしてその画面タスクを起動する。各端末機にダウンロードされる画面タスクは同一プログラムであり、画面ごとにプログラムを管理する必要はない。
【００１４】
前記画面タスクは、前記端末状態制御テーブルに各端末機の状態を書き込む機能と、この端末状態制御テーブルを参照して該当する情報に基づき画面排他制御またはメッセージ表示を行う機能とを備える。そこで図２に示すように、ダウンロードされた画面タスクは自端末の画面状態を獲得し、その情報を計算機本体の端末状態制御テーブルに書き込む。
また、各端末機は画面切り替えの際には表２に示すような計算機本体の端末状態制御テーブルを参照し、他の端末機が同じ画面をすでに選択していないかチェックする。他の端末機がすでに同じ画面を選択していた場合、画面の種類に応じて、画面排他制御、またはメッセージ表示が行われる。
【００１５】
例えば「ＢＦ０１」の端末機で、操業指示を有する画面番号７に画面を切り替えようとする場合、表２に示す端末状態制御テーブルにおいて、既に「ＢＦ０２」の端末機が画面番号７を選択している。画面番号７の画面例を図３に示す。「ＢＦ０１」の端末機には、図４に示すように、画面番号７の画面とともに「端末０２にて使用中」というメッセージが表示されるとともに、実行ボタンが消去されて操業指示を行うことはできず、単なる監視用としての画面となる。画面番号７以外の画面を選択しても、画面番号７の操業指示に関係する画面であった場合は同様の画面となる。さらに計算機本体は、端末状態制御テーブルによって管理する画面番号に画面排他制御対象であるものがあった場合、排他制御画面を選択表示している端末機に対して一定周期で端末機の稼動状況を確認する。かりに異常が確認された場合、端末状態制御テーブルにある画面番号を強制的にクリアする。そうすることにより別の端末機からの排他制御画面が選択可能となり、操業指示を出せないという事態を回避することができる。
【００１６】
また、名称「ＢＦ０５」の端末機で、画面をデータ修正を有する画面番号２８に切り替えようとする場合、表２の端末状態制御テーブルにおいて、すでに名称「ＢＦ０６」の端末機がこの画面番号を選択している。そこで画面タスクは、あとから画面番号２８を選択しようとした「ＢＦ０５」の端末機に対して図６に示すように「端末０８にて選択されています」とのメッセージを表示し、オペレータに注意を促す。その結果当然オペレータの判断により、即時データを修正するか、データ修正の前に画面の更新を行うか、名称が「ＢＦ０６」のオペレータに状況を確認するなどの行動をとることになろう。
【００１７】
計算機本体は、各端末機が正常か異常かを確認する機能、電源のオンオフを行う機能を備えている。そして画面タスクは、前記端末状態制御テーブルの内容を表示し制御する端末状態制御画面を有する。さらに該当する端末状態制御画面から各端末機の電源のオンオフおよび画面タスクのオンオフ、さらに時刻の修正などの画面制御を計算機本体に依頼することができる画面制御機能を有している。
【００１８】
ある端末機に異常が生じた場合、保全対応者は最寄りの端末に用意されている端末状態制御画面を表示させ、異常が発生した端末機について最新の稼動情報を収集する。端末状態制御画面の一例を図７に示す。情報収集の結果を踏まえ、電源や画面タスクのオンオフを計算機本体に依頼し、再起動することによって異常からの復旧や異常の原因を切り分けることができる。
【００１９】
さらに計算機本体は、定期的な時刻修正機能を備えている。自己機の保有する時刻を含めた時刻修正指示を各端末機に対して一定周期で行い、計算機本体と同じ時刻に揃える。端末状態制御画面から各端末機毎の時刻修正も可能である。
【図面の簡単な説明】
【００２０】
【図１】本発明実施例におけるプロセス制御システムの全体構成図である。
【図２】同じく本発明実施例におけるプロセス制御システムの全体構成図である。
【図３】本発明実施例における画面例を示す説明図である。
【図４】同じく本発明実施例における画面例を示す説明図である。
【図５】同じく本発明実施例における画面例を示す説明図である。
【図６】同じく本発明実施例における画面例を示す説明図である。
【図７】同じく本発明実施例における画面例を示す説明図である。
【符号の説明】
【００２１】
１    計算機本体
２ａ〜２ｅ    端末機
【図１】
2007272383.tif 000004
【図２】
2007272383.tif 000005
【図３】
2007272383.tif 000006
【図４】
2007272383.tif 000007
【図５】
2007272383.tif 000008
【図６】
2007272383.tif 000009
【図７】
2007272383.tif 000010